(57)【特許請求の範囲】
【請求項１】
少なくとも一部が湾曲する織目を有する生地を該織目に沿って切断する方法において、織目に沿って走行して織目の湾曲状況を検出するガイドとの間の距離を一定に保ちながら前記生地上を走行するカッターにより前記生地を切断することを特徴とする生地切断方法。
【請求項２】
少なくとも一部が湾曲する織目を有する生地の設置部、該設置部に沿って一方向に走行する1対のキャリッジ、該キャリッジ間に架け渡された連結部材、該連結部材に沿って前記一方向と垂直に移動するガイド及びカッターを有し、ガイドは前記生地の織目に沿って走行するガイド針を有し、該ガイド針の織目接触点の動きに呼応して前記キャリッジを前記一方向に移動させて前記カッターと前記ガイド針の織目接触点間の距離を一定に維持しながら前記カッターを生地表面を移動させて前記織目に沿って前記生地を切断することを特徴とする生地切断装置。
【発明の詳細な説明】
【０００１】
【発明が属する技術分野】
本発明は、カーテン地や服地等の生地を切断するための方法及び装置に関し、より詳細には湾曲した切断面に沿って正確に生地を切断するための方法及び装置に関する。
【０００２】
【従来の技術】
洋服や和服用の生地はロール状の非常に長い原反として供給され、この原反を所定長さに切断した後、更に多種類の所定形状（パターン）の各パーツに裁断され縫製工程を経て所望の服として市販される。
同様にしてカーテン地等の服地以外の生地についても原反を所定の長さに切断した後、縫製工程を経て所望のカーテンとして市販される。
これらの生地切断装置に関しては種々の装置が提案されかつ使用されている。
【０００３】
【発明が解決しようとする課題】
しかしながらこれらの生地切断装置はいずれも生地を直線状に切断する装置であり、曲線状に切断するためには適していない。
生地の中には単純に直線状に切断すれば十分である生地もあるが、生地の種類によっては曲線状に切断しなければ必要な裁断生地が得られないことがあり、従来は熟練工による手作業で曲線状切断を行っていた。しかしながらこのような手作業では処理能力に限界があり、より作業効率の高い切断方法が要請されている。
曲線状に切断しなければ生地の中には生地の織目の方向とは無関係に曲線状切断を行う場合と織目に沿って曲線状切断を行う場合がある。
本発明は前記要請に応えて、織目に沿って行う曲線状切断を効率的に行うことのできる生地切断方向及び装置を提供することを目的とする。
【０００４】
【課題を解決するための手段】
本発明は、少なくとも一部が湾曲する織目を有する生地を該織目に沿って切断する方法において、織目に沿って走行して織目の湾曲状況を検出するガイドとの間の距離を一定に保ちながら前記生地上を走行するカッターにより前記生地を切断することを特徴とする生地切断方法、及び少なくとも一部が湾曲する織目を有する生地の設置部、該設置部に沿って一方向に走行する1対のキャリッジ、該キャリッジ間に架け渡された連結部材、該連結部材に沿って前記一方向と垂直に移動するガイド及びカッターを有し、ガイドは前記生地の織目に沿って走行するガイド針を有し、該ガイド針の織目接触点の動きに呼応して前記キャリッジを前記一方向に移動させて前記カッターと前記ガイド針の織目接触点間の距離を一定に維持しながら前記カッターを生地表面を移動させて前記織目に沿って前記生地を切断することを特徴とする生地切断装置である。
【０００５】
以下本発明を詳細に説明する。
本発明では、切断方向とほぼ一致する織目を有する生地を織目に沿って自動的又は半自動的に切断する。
カーテン地や薄手の服地等では、縦糸と横糸が織り込んで生地が作製される。このような生地では、縦糸又は横糸のいずれかが湾曲して曲線状に成っていることがある。このような場合に湾曲形状を無視して湾曲した縦糸又は横糸の織目を横切るように生地を切断すると切断線両側の格子が破壊されて強度的にも装飾的にも望ましくない。
【０００６】
本発明は、湾曲した縦糸又は横糸の織目を利用してこの縦糸又は横糸の曲線形状と等間隔の生地上の個所を切断することにより所定の曲線形状の切断生地を提供できる。
本発明では生地を切断するカッターとは別にガイド又はガイド針を使用する。ここでガイドとは織目に沿って移動できる任意の部材を意味し、ガイド針を含む概念である。このガイド針は曲線状の織目に追随して移動でき、このガイド針の動きをセンサ等で検知し、ガイド針と生地の接触点とカッターの生地との接触点を常に一定に保持すると、ガイド針が生地の織目により案内される軌跡と同じように移動しながら生地切断を行い、生地の織目通りに生地切断を行うことができ、微細な格子模様を損なうことなく曲線状の織目を有する生地の切断が可能になる。
本発明は、少なくとも一定が湾曲する縦糸及び横糸を織り込んだ生地で、ガイド針等が湾曲した織目に沿って走行できる任意の生地を対象とし、例えばボイル地のカーテンや、Ｙシャツ、ワンピース等の比較的薄手の服地等に好ましく適用できる。
【０００７】
本発明におけるカッターへの生地供給方法は特に限定されず、エンドレスベルトに載せて供給しても通常の自動的生地供給方法で供給しても手動で供給しても良い。
使用するカッターは刃に限定されず、ヒーターや超音波による切断であっても良い。
ガイド針とカッター間の距離を一定に維持するための機構はセンサの使用であることが望ましく、ガイド針の両側に１対の位置センサを設置してガイド針の先端位置を検知してその位置とカッターと間の距離を所定値に復帰させたり、ガイド針の生地の湾曲方向に対応する傾斜を検知してその傾斜をゼロにするような機構が採用できる。
本発明の生地切断手段は特に限定されず、生地を張った状態でカッターを接触させるか、下刃を使用して該下刃上に生地を位置させてカッターで切断すれば、下に位置するエンドレスベルト等を傷つけることなく切断できる。
【０００８】
【発明の実施の形態】
次に本発明の曲線状織目を有する生地の切断の原理を、図１及び図２に基づいて説明するが、これらの説明は本発明を限定するものではない。なお図１及び図２では縦糸又は横糸の一部のみを示し、実際には縦糸又は横糸は微細なほぼ等間隔で織り込まれている。
図１Ａは、切断開始前の生地とカッター及びガイド針との関係を示す平面図である。図１Ａに示すように、生地１は、多数の微細な間隔で互いに平行に延びる縦糸２と、これらの縦糸２に織り込まれ、互いに同一の湾曲形状を有する多数の横糸３とから成っている。前記縦糸２に対して垂直方向に延びる連結部材４の側面に沿設されたガイドレール５には、他面側に回転丸刃６が設置されたカッターヘッド７が係合しかつガイドレール５に沿って移動できるようになっていて、図１Ａの状態では回転丸刃６の下端が生地１の基端（図１Ａの下端）に接するように調節されている。カッターヘッド７にはＬ字状の支持杆８が連結されこの支持杆８の他端には回転軸９が支持され、かつこの回転軸９には回転自在に針ホルダ10が保持されている。
【０００９】
この針ホルダ10は斜め下に向けて（図５参照）設置され、該針ホルダ10の下端には先端が前記生地１表面に接触しているガイド針11が傾斜状態で固定されている。なお12は前記回転軸９に対するガイド針11先端の相対位置を検知するためのセンサである。
図１Ａの状態からカッターヘッド７をＹ方向にΔａだけ移動させて生地１の部分的な切断を行うと、カッターヘッド７、連結部材４及び回転軸９はＸ方向には移動せず（後述の通り実際には移動する）、ガイド針11の先端のみが横糸３の湾曲に沿って図１ＢのようにＸ方向にΔｄだけ移動してガイド針11がＹ方向に傾斜する。
この状態で連結部材４を図１Ｂで矢印で示すようにＸ方向にΔｄだけ移動させると、ガイド針11の傾斜が元に戻り、図２Ａの状態になる。
【００１０】
図２Ａの状態からカッターヘッド７をＹ方向にΔａ１だけ移動させて生地１の切断を続けると、カッターヘッド７、連結部材４及び回転軸９はＸ方向には移動せず、ガイド針11の先端のみが横糸３の湾曲に沿って図２ＢのようにＸ方向に逆にΔｄ１だけ移動してガイド針11がＹ方向に対して傾斜する。
この状態で連結部材４を図２Ｂで矢印で示すようにＸ方向にΔｄ１だけ移動させると、ガイド針11の傾斜が元に戻る。更にこの操作を繰り返すことにより曲線状の織目を有する生地を織目に沿って切断できる。
なお図１及び図２では、説明の便宜上、カッターヘッド７がＹ方向にかなりの距離を移動した後、センサ12が作動して連結部材４つまりカッターヘッド７を追随して移動するようにしたが、実際は前記Δａ及びΔａ１は隣接する縦糸２の間隔より小さい微小距離であり、連結部材４はＸ方向とＹ方向に同時に移動する。これによりガイド針11の先端の移動、つまり横糸３の湾曲（織目）と実質的に同一の軌跡を描いてカッターヘッド７に固定された回転丸刃６が移動して横糸３が湾曲した生地１をその織目に沿って切断することが可能になる。
【００１１】
次に本発明に係わる生地切断装置の実施形態を説明するが、該実施形態は本発明を限定するものではない。
図３は本発明に係わる生地切断装置の一実施形態を示す斜視図、図４は図３の装置の平面図、図５は図４の装置の側面図である。なお図１及び２で説明した部材には同一符号を付す。
前後１対の本体フレーム21の内底壁間は２本の底部連結材22により連結され、両本体フレーム21の上面には溝23が穿設され、この溝23にはＸ方向に移動で切るキャリッジ24が設置されている。両キャリッジ24間には連結部材４が架け渡され、この連結部材４の一方の側面にはガイドレール５が固設されている。
【００１２】
このガイドレール５にはカッターヘッド７が保持されてガイドレール５に沿ってＹ方向に移動可能とされ、該カッターヘッド７には回転丸刃６が軸支されている。
このカッターヘッド７にはＬ字状の支持杆８が連結されこの支持杆８の他端には回転軸９が支持され、かつこの回転軸９には回転自在に針ホルダ10が保持されている。図５に示すように、この針ホルダ10は斜め下に向けて設置され、該針ホルダ10の下端には先端が前記生地１表面に接触しているガイド針11が固定されている。なお12は前記回転軸９に対するガイド針11先端の相対位置を検知するためのセンサであり、13はセンサ12に対応して針ホルダ10とともに回転するドグである。
【００１３】
前記本体フレーム21の対向する内面には側方に向けて生地受け25が形成され、両生地受け25の上面の溝間には生地支持杆26が架け渡されている。この生地支持杆26には原反27が巻き付けられ、前記生地支持杆26の回転により原反27が生地１として前記本体フレーム21間の前記カッターヘッド７に向けて供給される。
該本体フレーム21間の生地１供給個所には、エンドレスベルト28が1対のローラ29間を走行するように支持されている。
前記カッターヘッド７の下端部にはその先端部が生地１下面に位置して前記回転丸刃６とともに生地１の切断を行う下刃30が設置されている。
ガイド針11の上端のやや上方にはエアシリンダー31が設置され、このエアシリンダー31は、切断操作が終了したガイド針11を元の位置に戻す際にガイド針11が生地１に接触しないように、ガイド針11上端を押圧してガイド針11先端を上昇させる機能を有する。
【００１４】
【発明の効果】
本発明方法は、少なくとも一部が湾曲する織目を有する生地を該織目に沿って切断する方法において、織目に沿って走行して織目の湾曲状況を検出するガイドとの間の距離を一定に保ちながら前記生地上を走行するカッターにより前記生地を切断することを特徴とする生地切断方法（請求項１）である。
【００１５】
この本発明方法では、織目が湾曲する生地の湾曲織目に沿って走行するガイド針に追随するカッターで生地の切断を行うことができ、従ってカッターの動きも生地の湾曲した織目に沿ったものになり、縦糸と横糸で形成される格子を実質的に損なうことなく該湾曲織目に沿って生地を切断できる。
ガイド針は自動的に湾曲する織目に沿って走行するため、センサを稼動させながら通常通りカッターヘッドを連結部材に沿って移動させて生地の切断を行えば自動的にカッターが湾曲織目に沿って生地切断を行うため、付加的な操作が不要で従来とほぼ同じ労力で湾曲織目に沿って生地を曲線状に切断することができる。
【００１６】
又本発明は、少なくとも一部が湾曲する織目を有する生地の設置部、該設置部に沿って一方向に走行する1対のキャリッジ、該キャリッジ間に架け渡された連結部材、該連結部材に沿って前記一方向と垂直に移動するガイド及びカッターを有し、ガイドは前記生地の織目に沿って走行するガイド針を有し、該ガイド針の織目接触点の動きに呼応して前記キャリッジを前記一方向に移動させて前記カッターと前記ガイド針の織目接触点間の距離を一定に維持しながら前記カッターを生地表面を移動させて前記織目に沿って前記生地を切断することを特徴とする生地切断装置（請求項２）である。
【００１７】
この発明でも生地の織目の湾曲度に応じて移動するガイド針の動きを検知し、この検知に応じてキャリッジを移動させて前記距離を一定に維持することにより、所定の湾曲形状で生地を切断できる。
いずれの発明でも、ガイド針の変位の検知と該変位に基づく位置等の修正は微小量ごとに行われ、高精度で生地を曲線状に切断できる。
【図面の簡単な説明】
【図１】図１Ａ及びＢは、本発明の実施態様による生地切断の第１段階の要領を示す平面図。
【図２】図２Ａ及びＢは、本発明の実施態様による生地切断の第２段階の要領を示す平面図。
【図３】本発明に係わる生地切断装置の一実施形態を示す斜視図。
【図４】図３の装置の平面図。
【図５】図４の装置の側面図。
【符号の説明】
１    生地
２    縦糸
３    横糸
４    連結部材
５    ガイドレール
６    回転丸刃
７    カッターヘッド
９    回転軸
10    針ホルダ
11    ガイド針
12    センサ
13    ドグ
【図１】
0004787421.tif 000002
【図２】
0004787421.tif 000003
【図３】
0004787421.tif 000004
【図４】
0004787421.tif 000005
【図５】
0004787421.tif 000006